(57)【要約】【課題】  各設置場所における要望や用途に応じて、簡易迅速および低コストで寸法変更し得る汎用性の高い薄型汎用筐体、遊技機および情報端末装置を提供する。【解決手段】  床面または台上に設置して使用される情報端末装置および遊技機を製造可能な薄型汎用筐体１は、液晶表示装置１０の上側に配置され、その横幅に対応する寸法を有する天頂部２と、液晶表示装置１０の左右両側に配置され、全長にわたって液晶表示装置１０の奥行きに対応する均等な幅と、液晶表示装置１０を除く部分の高さに応じて調節された長さとを有する左側板部３および右側板部４と、床面または台に接面し得る底部５と、天頂部２に対応する幅を有し、天頂部２と底部５との間に配置され、情報処理装置と電源ユニットを、互いに重ならないように装着可能な背面パネル６とを有する。【選択図】  図１
2005218794.tif 000002
【特許請求の範囲】
【請求項１】
床面または台上に設置して使用される液晶表示装置付き情報端末装置および遊技機を製造可能な薄型汎用筐体であって、
前記液晶表示装置の上側に配置され、該液晶表示装置の横幅に対応する寸法を有する天頂部と、
前記液晶表示装置の左右両側に配置され、全長にわたって前記液晶表示装置の奥行きに対応する均等な幅と、前記液晶表示装置の高さよりも長く、前記情報端末装置または遊技機における前記液晶表示装置を除く部分の高さに応じて調節された長さとを有する左側板部および右側板部と、
前記床面または台に接面し得る底部と、
前記天頂部に対応する幅を有し、前記天頂部と前記底部との間に配置され、前記情報端末装置と遊技機で共用可能な情報処理装置と電源ユニットを、互いに重ならないように装着可能な背面パネルとを有することを特徴とする薄型汎用筐体。
【請求項２】
前記左側板部および右側板部が金属材の押出成形によって形成されていることを特徴とする請求項１記載の薄型汎用筐体。
【請求項３】
前記天頂部、底部、左右両側板部および背面パネルにより形成される薄型スペースに、前記情報端末装置と遊技機で共用可能な液晶表示装置が組み込まれていることを特徴とする請求項１または２記載の薄型汎用筐体。
【請求項４】
前記薄型スペースにおける前記液晶表示装置の下側に、少なくとも前記情報端末装置または遊技機のいずれか一方の構成要素を組み込み可能な汎用スペース部を有することを特徴とする請求項３記載の薄型汎用筐体。
【請求項５】
前記汎用スペース部よりも下側に、前記情報端末装置または遊技機を操作するための操作入力を行う操作部を有することを特徴とする請求項４記載の薄型汎用筐体。
【請求項６】
床面または台上に設置して使用される液晶表示装置付き情報端末装置を製造可能な薄型汎用筐体を用いた情報端末装置であって、
前記薄型汎用筐体は、前記液晶表示装置の上側に配置され、該液晶表示装置の横幅に対応する寸法を有する天頂部と、
前記液晶表示装置の左右両側に配置され、全長にわたって前記液晶表示装置の奥行きに対応する均等な幅と、前記液晶表示装置の高さよりも長く、前記情報端末装置における前記液晶表示装置を除く部分の高さに応じて調節された長さとを有する左側板部および右側板部と、
前記床面または台に接面し得る底部と、
前記天頂部に対応する幅を有し、前記天頂部と前記底部との間に配置され、前記情報端末装置で用いられる情報処理装置と電源ユニットを、互いに重ならないように装着可能な背面パネルとを有し、
前記薄型汎用筐体における前記天頂部、底部、左右両側板部および背面パネルにより形成される薄型スペースに、前記情報端末装置で用いられる液晶表示装置が配置され、
前記背面パネルに、前記情報端末装置で用いられる情報処理装置と電源ユニットが装着され、
該電源ユニットから前記液晶表示装置と前記情報処理装置に電源供給が行われ、前記情報処理装置の制御にしたがい、前記液晶表示装置に画像表示を行うことを特徴とする情報端末装置。
【請求項７】
床面または台上に設置して使用される液晶表示装置付き遊技機を製造可能な薄型汎用筐体を用いた遊技機であって、
前記薄型汎用筐体は、前記液晶表示装置の上側に配置され、該液晶表示装置の横幅に対応する寸法を有する天頂部と、
前記液晶表示装置の左右両側に配置され、全長にわたって前記液晶表示装置の奥行きに対応する均等な幅と、前記液晶表示装置の高さよりも長く、前記遊技機における前記液晶表示装置を除く部分の高さに応じて調節された長さとを有する左側板部および右側板部と、
前記床面または台に接面し得る底部と、
前記天頂部に対応する幅を有し、前記天頂部と前記底部との間に配置され、前記遊技機で用いられる情報処理装置と電源ユニットを、互いに重ならないように装着可能な背面パネルとを有し、
前記薄型汎用筐体における前記天頂部、底部、左右両側板部および背面パネルにより形成される薄型スペースに、前記遊技機で用いられる液晶表示装置が配置され、
前記背面パネルに、前記遊技機で用いられる情報処理装置と電源ユニットが装着され、
該電源ユニットから前記情報処理装置と前記液晶表示装置に電源供給が行われ、前記情報処理装置に制御される前記液晶表示装置の表示画像を用いた遊技が行われることを特徴とする遊技機。
【発明の詳細な説明】
【技術分野】
【０００１】
本発明は、床面や所定の台上に設置して使用されるコンビニエンスストア内の情報端末装置や、アーケードゲーム機等の遊技機に汎用可能な奥行きの小さい薄型汎用筐体並びにその薄型汎用筐体を用いた情報端末装置および遊技機に関する。
【背景技術】
【０００２】
従来から、コンビニエンスストアにおいては、顧客が商品、チケット、レジャー施設の入場券の購入、各種代金の支払い、宿泊施設の予約等を行える情報端末装置が店内の床面や所定の台上に設置されている。この種の情報端末装置は、液晶表示装置や、情報の入出力や通信の制御を行う情報処理装置、電源供給を行う電源ユニット等が床面に設置される筐体の内部に組み込まれた構成を有している。
【０００３】
一方、アーケードゲーム機のように、ゲームセンタ等の遊技場に設置して使用される遊技機がある。この種の遊技機は、画像の可変表示を行う複数の機械式リールや、液晶表示装置、さらには遊技動作を制御する情報処理装置、電源供給を行う電源ユニット等が床面や所定の台上に設置される筐体の内部に組み込まれた構成を有している。
【０００４】
このように、床面や所定の台上に設置される情報端末装置や遊技機は、いずれも筐体を有し、その筐体の内部に必要な構成要素を組み込んだものであった。
そして、このような筐体は、底板部と、天板部と、左右両側板部と、背板部とを有する概ね直方体形状を呈していて、例えば、遊技機用の筐体では、アルミニウム等の金属や、木製、樹脂などを用いて、一体的または各板部を組み上げて構成されていた。例えば、特許文献１では、アルミニウムなどの軽合金を材料にして、鋳造により一体的に成形された遊技機用筐体が開示されていた。
【特許文献１】特開２００３−２０５０６５号公報
【発明の開示】
【発明が解決しようとする課題】
【０００５】
上述のような筐体を簡易迅速および低コストで製造するためには、寸法を共通化するのが望ましい。
しかし、床面や所定の台上に設置される情報端末装置や遊技機は、コンビニエンスストアや、ゲームセンタ等の遊技場への設置にあたって、設置場所の状況を考慮する必要がある。つまり、この種の情報端末装置や遊技機は、設置にあたって、設置場所に存在する台や、その周辺にある棚の寸法に適合するように（例えば、高さや奥行きを同じに）したい、限られたスペースに設置し得るように、筐体の高さや奥行きをできるだけ小さくしたい、子供にも利用可能な寸法にしたいなどの様々な要望があるため、情報端末装置や遊技機に不可欠な筐体をその要望（ニーズ）に沿った寸法にしなければならない。
【０００６】
また、情報端末装置と遊技機とでは、液晶表示装置や、電源ユニットのように共用できる構成要素のほか、カードリーダ、レシートの発券機や、機械式のリールのように、それぞれに固有のものもある。その後者の場合、そのそれぞれは高さや奥行きなどの寸法が一定ではないから、固有の構成要素に適合するように寸法の異なる筐体を個別に用意するのが望ましい。
しかし、各設置場所における要望や用途に適合した個別の筐体を用意するためには、筐体を構成する各板部について、製造用の金型を個別に用意し、しかも各金型を使って寸法の異なる板部を個別に用意し、さらに各板部を組み上げて個別に筐体を製造する作業を行う必要がある。したがって、各設置場所に応じた個別の筐体を用意しようとすると、製造時間を要するし、製造コストも高くなってしまうという問題がある。
【０００７】
そこで、本発明は上記課題を解決するためになされたもので、各設置場所における要望や用途に適合可能な汎用性を有し、簡易迅速および低コストで製造可能な薄型汎用筐体並びにその薄型汎用筐体を用いた情報端末装置および遊技機を提供することを目的とする。
【課題を解決するための手段】
【０００８】
上記課題を解決するため、本発明は、床面または台上に設置して使用される液晶表示装置付き情報端末装置および遊技機を製造可能な薄型汎用筐体であって、液晶表示装置の上側に配置され、その液晶表示装置の横幅に対応する寸法を有する天頂部と、液晶表示装置の左右両側に配置され、全長にわたって液晶表示装置の奥行きに対応する均等な幅と、液晶表示装置の高さよりも長く、情報端末装置または遊技機における液晶表示装置を除く部分の高さに応じて調節された長さとを有する左側板部および右側板部と、床面または台に接面し得る底部と、天頂部に対応する幅を有し、天頂部と底部との間に配置され、情報端末装置と遊技機で共用可能な情報処理装置と電源ユニットを、互いに重ならないように装着可能な背面パネルとを有する薄型汎用筐体を特徴とする。
この薄型汎用筐体は、高さを決める左側板部および右側板部の長さが情報端末装置と遊技機の高さに応じて調節されているので、情報端末装置と遊技機の双方を製造でき、高さの自由度が高く汎用性が高い。また、液晶表示装置の奥行きに対応した厚さを有するから薄型である。
【０００９】
この薄型汎用筐体は、左側板部および右側板部が金属材の押出成形によって形成されているとよい。こうすると、左側板部と右側板部とが全長にわたって均一で精度の良好な寸法を有し、それぞれの長さを情報端末装置または遊技機における液晶表示装置を除く部分の高さに応じて簡易迅速に調節することができる。
【００１０】
また、上記薄型汎用筐体は、天頂部、底部、左右両側板部および背面パネルにより形成される薄型スペースに、情報端末装置と遊技機で共用可能な液晶表示装置が組み込まれているようにすることができる。
これにより、共用可能な液晶表示装置が薄型スペースに組み込まれているので、薄型汎用筐体の汎用性が高まる。
【００１１】
さらに、薄型スペースにおける液晶表示装置の下側に、少なくとも情報端末装置または遊技機のいずれか一方の構成要素を組み込み可能な汎用スペース部を有することが好ましい。
こうすると、情報端末装置または遊技機のいずれか一方にしか使用されない構成要素も組み込むことができるので、左側板部および右側板部の長さをその組み込もうとする構成要素に応じて設定することができる。
さらに、汎用スペース部よりも下側に、情報端末装置または遊技機を操作するための操作入力を行う操作部を有するようにすることができる。
こうすると、このような薄型汎用筐体を用いて情報端末装置および遊技機を製造する作業を迅速に行える。
【００１２】
そして、本発明は、床面または台上に設置して使用される液晶表示装置付き情報端末装置を製造可能な薄型汎用筐体を用いた情報端末装置であって、薄型汎用筐体は、液晶表示装置の上側に配置され、その液晶表示装置の横幅に対応する寸法を有する天頂部と、液晶表示装置の左右両側に配置され、全長にわたって液晶表示装置の奥行きに対応する均等な幅と、液晶表示装置の高さよりも長く、情報端末装置における液晶表示装置を除く部分の高さに応じて調節された長さとを有する左側板部および右側板部と、床面または台に接面し得る底部と、天頂部に対応する幅を有し、天頂部と底部との間に配置され、情報端末装置で用いられる情報処理装置と電源ユニットを、互いに重ならないように装着可能な背面パネルとを有し、薄型汎用筐体における天頂部、底部、左右両側板部および背面パネルにより形成される薄型スペースに、情報端末装置で用いられる液晶表示装置が配置され、背面パネルに、情報端末装置で用いられる情報処理装置と電源ユニットが装着され、その電源ユニットから液晶表示装置と情報処理装置に電源供給が行われ、情報処理装置の制御にしたがい、液晶表示装置に画像表示を行う情報端末装置を提供する。
【００１３】
さらに、本発明は、床面または台上に設置して使用される液晶表示装置付き遊技機を製造可能な薄型汎用筐体を用いた遊技機であって、薄型汎用筐体は、液晶表示装置の上側に配置され、その液晶表示装置の横幅に対応する寸法を有する天頂部と、液晶表示装置の左右両側に配置され、全長にわたって液晶表示装置の奥行きに対応する均等な幅と、液晶表示装置の高さよりも長く、遊技機における液晶表示装置を除く部分の高さに応じて調節された長さとを有する左側板部および右側板部と、床面または台に接面し得る底部と、天頂部に対応する幅を有し、天頂部と底部との間に配置され、遊技機で用いられる情報処理装置と電源ユニットを、互いに重ならないように装着可能な背面パネルとを有し、薄型汎用筐体における天頂部、底部、左右両側板部および背面パネルにより形成される薄型スペースに、遊技機で用いられる液晶表示装置が配置され、背面パネルに、遊技機で用いられる情報処理装置と電源ユニットが装着され、その電源ユニットから情報処理装置と液晶表示装置に電源供給が行われ、情報処理装置に制御される液晶表示装置の表示画像を用いた遊技が行われる遊技機を提供する。
【発明の効果】
【００１４】
以上詳述したように、本発明によれば、各設置場所における要望や用途に適合可能な汎用性を有し、簡易迅速および低コストで製造可能な薄型汎用筐体並びにその薄型汎用筐体を用いた情報端末装置および遊技機が得られる。
【発明を実施するための最良の形態】
【００１５】
以下、本発明の実施の形態について説明する。なお、同一要素には同一符号を用い、重複する説明は省略する。
（薄型汎用筐体の説明）
まず、図１〜図６を参照して、本発明に係る薄型汎用筐体について説明する。ここで、図１は、本発明の実施の形態に係る薄型汎用筐体１の全体構成を示す斜視図である。図２は、薄型汎用筐体１の右側面図、図３は背面図、図４は一部を取り外して示す斜視図である。また、図５は図１の５−５線断面図、図６は図１の６−６線断面図である。
【００１６】
薄型汎用筐体１は、コンビニエンスストアの店内で、床面に設置して使用される情報端末装置と、遊技場内で床面や所定の台上に設置して使用される据え置き型の遊技機（例えばアーケードゲーム機）を製造可能な構成を有している。この薄型汎用筐体１は、情報端末装置および遊技機の双方で用いられる共用可能な液晶表示装置１０を組み込めるように構成されていて、図１では、既に液晶表示装置１０が組み込まれた状態になっている。
【００１７】
そして、薄型汎用筐体１は、天頂部２と、左側板部３と、右側板部４と、底部５と、背面パネル６とを有している。
天頂部２は、搭載される液晶表示装置１０の上側に配置され、樹脂または金属で形成されており、液晶表示装置１０の横幅と奥行きに対応する寸法（横幅および奥行き）を有している。この天頂部２は図示のとおり、奥行き方向（前後方向）中央部分が突出するように湾曲していて、その頂き部分に幅方向に長い溝状のＰＯＰスタンド２ａが形成されている。また、幅方向両側に左側板部３または右側板部４の端部に着脱するための係合部が形成されている。
【００１８】
左側板部３と、右側板部４とは、同じ形状を有し、薄型汎用筐体１を支える支柱の役割を有している。左側板部３と、右側板部４とは、それぞれ薄型汎用筐体１の左右両側に配置され、金属材、好ましくはアルミニウムまたはアルミニウム合金等の軽量な金属材を用いて押出成形によって形成されている。
また、左側板部３と、右側板部４とは、全長にわたって液晶表示装置１０の奥行き（厚さ）に対応する均等な幅を有し、液晶表示装置１０の高さよりも長く、製造しようとする情報端末装置（例えば後述する情報端末装置４１）や遊技機（例えば後述する遊技機４２）の液晶表示装置１０を除く部分（後述する開閉パネル１６、開閉パネル１７および汎用スペース部２０）の高さに応じて調節された長さを有している。
【００１９】
底部５は、薄型汎用筐体１を床面または台上に設置するためのスタンドとして設けられ、樹脂または金属で形成されている。この底部５は、薄型汎用筐体１の前面側に張出し、設置しようとする床面または台に接面し得る底板部５ａと、薄型汎用筐体１の背面側に装着されたキャスター５ｂとを有している。
背面パネル６は薄型汎用筐体１の背面側における天頂部２と底部５の間に配置され、樹脂または金属で形成されており、上述した天頂部２、左側板部３、右側板部４および底部５とともに、後述する薄型スペース３５を構成しえるようになっている。この背面パネル６は、天頂部２の幅に対応する幅と、左側板部３および右側板部４の長さよりも幾分短い高さを有している。また、背面パネル６は、製造しようとする情報端末装置と遊技機で共用可能な後述する情報処理装置３１と電源ユニット３２を、互いに重ならないように装着可能になっている。
【００２０】
そして、薄型汎用筐体１は、天頂部２、左側板部３、右側板部４、底部５および背面パネル６により、液晶表示装置１０に対応する横幅を有し、左側板部３および右側板部４の幅に対応する奥行きと、左側板部３および右側板部４の長さに対応する高さとを有し、奥行きが薄くて縦長の薄型スペース３５を形成している。この薄型スペース３５には、上から順に、液晶表示装置１０と汎用スペース部２０とを配置して、さらにその下の部分に、情報処理装置３１と電源ユニット３２とを配置し得るようになっている。
【００２１】
さらに、薄型汎用筐体１は、操作部１５、開閉パネル１６および開閉パネル１７を有している。
操作部１５は、薄型汎用筐体１の高さ方向ほぼ中央に配置され、天頂部２の横幅に対応する横幅を有し、左側板部３および右側板部４の幅よりも手前側に張出す水平状の台座部に、所定の角度範囲で回動自在の操作スティック１５ａと、押込み可能な操作ボタン１５ｂとが設けられている。この操作部１５は、台座部の手前側が、上下中央が手前側に張出すように湾曲し、アルミニウムまたはアルミニウム合金等の軽量な金属材を用いて、左側板部３および右側板部４と同様に押出成形により形成された湾曲部１５ｃになっている。
【００２２】
開閉パネル１６は操作部１５の下に配置され、樹脂または金属で形成され、薄型スペース３５に配置される情報処理装置３１の収納空間を確保可能な程度で手前側に張出し、左側板部３と、右側板部４に着脱自在に装着されている。この開閉パネル１６は、主に薄型汎用筐体１を用いて遊技機を製造したときのため、遊技に必要なメダルや硬貨等の媒体（以下「コイン」という）を投入するためのコイン投入部１８が設けられている。
開閉パネル１７は、開閉パネル１６の下に配置され、樹脂または金属で形成され、薄型スペース３５に配置される電源ユニット３２の収納空間を確保可能にするため開閉パネル１６と同程度に張出し、左側板部３と、右側板部４に着脱自在に装着されている。
【００２３】
汎用スペース部２０は液晶表示装置１０と、操作部１５との間に配置されている。この汎用スペース部２０は、製造しようとする情報端末装置か、遊技機のいずれか一方でしか用いられない機器や部品（例えば、情報端末装置の場合であれば、後述する発券機やカードリーダ、遊技機であれば配当またはゲーム内容の表示パネル）を組み込むために設けられている。この汎用スペース部２０を設けたことにより、左側板部３および右側板部４の長さを組み込もうとする構成要素に応じて設定することができるようになっている。
【００２４】
以上のような構成を有する薄型汎用筐体１は、高さを決める左側板部３と右側板部４とが押出成形により形成されている。そのため、左側板部３と右側板部４とが全長にわたって均一で精度の良好な寸法を有し、それぞれの長さを情報端末装置または遊技機における液晶表示装置１０を除く部分の高さに応じて簡易迅速に調節することができる。
つまり、その左側板部３と右側板部４を得るための金属材を製造しようとする情報端末装置や遊技機の高さに応じた長さに切断することができるが、そうすることによって、左側板部３と右側板部４とを情報端末装置や遊技機の寸法に応じた長さに設定可能なので、左側板部３と右側板部４とを製造しようとする情報端末装置や遊技機の寸法を考慮し、設置場所に応じた長さで製造することができる。したがって、薄型汎用筐体１は、設置場所における要望や用途に応じて高さを自由に設定でき、情報端末装置や遊技機の双方を製造できるので、汎用性が高い。
【００２５】
また、左側板部３および右側板部４の幅が組み込もうとする液晶表示装置１０の奥行きに対応して、全長にわたる均等な寸法になっている。そのため、薄型汎用筐体１は、液晶表示装置１０の奥行きに対応した厚さであり、奥行きの浅い薄型で形成されている。また、天頂部２の横幅が液晶表示装置１０に対応しているため、薄型汎用筐体１は幅が必要最小限に止められている。さらに、薄型汎用筐体１は情報端末装置と遊技機に共用可能な液晶表示装置１０が既に組み込まれているから、情報端末装置と遊技機を製造する上でも汎用性が高い。
しかも、背面パネル６が情報端末装置と遊技機で共用可能な情報処理装置と電源ユニットを互いに重ならないように装着可能であるから、薄型汎用筐体１は遊技機と情報端末装置に必須とされる情報処理装置と電源ユニットを前後に重ならないようにして内部に配置することができる。そのため、奥行きが情報処理装置と電源ユニットいずれか大きい方の寸法に対応した大きさになり、薄型を損なわないようになっている。
【００２６】
さらに、薄型汎用筐体１は汎用スペース部２０を有し、この汎用スペース部２０は情報端末装置または遊技機のいずれか一方にしか使用されない構成要素を組み込むことができるので、左側板部３および右側板部４の長さをその構成要素に応じて設定することができる。汎用スペース部２０に納まる大きさであれば、情報端末装置または遊技機のいずれか一方にしか使用されない構成要素を組み込むことができる。なお、その構成要素が汎用スペース部２０から前後に飛び出す大きさであれば保護カバー（図示せず）を装着するようにすればよい。
このように、薄型汎用筐体１は、寸法の自由度、特に高さ設定の自由度が高くなっている。また、情報端末装置と遊技機の双方に共用可能な液晶表示装置１０と、情報処理装置および電源ユニットを組み込むことによって、情報端末装置と遊技機の双方を製造することができるので、この点でも汎用性が高い。しかも、薄型汎用筐体１の厚さが液晶表示装置１０に対応した厚さで、薄型を損なわないようになっている。
さらに、天頂部や底部５などの各部品が共通であるから、薄型汎用筐体１の製造コストをダウンすることができ、製造および開発に要する期間を短縮することもできる。すなわち、薄型汎用筐体１は簡易迅速に製造することができる。
【００２７】
（情報端末装置の説明）
次に、以上の構成を有する薄型汎用筐体１を用いた情報端末装置の実施の形態について、図７および図１０を参照して説明する。
図７は、薄型汎用筐体１を用いた情報端末装置４１を示す斜視図、図１０は情報端末装置４１の内部構成を示すブロック図である。
【００２８】
情報端末装置４１は、コンビニエンスストア内の床面に設置して使用される装置である。この情報端末装置４１は、上述の薄型汎用筐体１に、液晶表示装置１０と、カードリーダ２１と、発券部２２と、情報処理装置３１および電源ユニット３２を組み込んで製造されており、これらの各構成要素が図１０に示すとおり電気的に接続されて、その情報処理装置３１の制御にしたがい液晶表示装置１０に画像表示を行うようになっている。
【００２９】
液晶表示装置１０は、後述する遊技機４２と共用可能であって、液晶パネル１１と、駆動回路等を備え、液晶パネル１１が取り付けられた装置本体１２とを有し、その装置本体１２が薄型汎用筐体１の薄型スペース３５に取り付けられている。液晶パネル１１の前面には、タッチパネル１０ａが配置されており、人が指等を接触させた位置に対応した情報が、情報処理装置３１に入力されるようになっている。
【００３０】
カードリーダ２１は、クレジットカードや、情報端末装置４１が設置されるコンビニエンスストアにおける会員カード等をスキャンして記憶されている情報を読取り、その読取った情報を情報処理装置３１に入力するようになっている。このカードリーダ２１は、薄型汎用筐体１における汎用スペース部２０に組み込まれている。
発券部２２は、コンビニエンスストア内において、顧客が商品購入やチケットの予約等を行ったときに、その購入した商品や、予約の内容を示す情報を印字したチケット、レシート等を印字出力する装置(プリンタ)である。この発券部２２も、薄型汎用筐体１における汎用スペース部２０に組み込まれている。
【００３１】
情報処理装置３１は、後述する遊技機４２と共用可能であって、液晶表示装置１０と、カードリーダ２１および発券部２２との間でデータや制御信号の入出力を行い、情報端末装置４１の動作を制御する装置（例えばパーソナルコンピュータ）である。この情報処理装置３１は、薄型汎用筐体１における背面パネル６に、電源ユニット３２と互いに重ならないように装着され、開閉パネル１６の内側に収納されている。
情報処理装置３１は、ＣＰＵ（Central  Processing  Unit）３１ａと、ＲＯＭ(Read  Only  Memory)３１ｂと、ＲＡＭ（Random  Access  Memory）３１ｃとを有し、通信制御部３１ｄと、通信処理部３１ｅおよび２次記憶部３１ｆを有している。
【００３２】
ＣＰＵ３１ａは、ＲＯＭ３１ｂに記憶されているプログラムにしたがい作動してＩ／Ｏポートを介して他の構成要素との信号の入出力を行い、情報端末装置４１に必要な動作制御を行う。ＲＯＭ３１ｂにはＣＰＵ３１ａが実行するプログラムと、恒久的なデータが記憶され、ＲＡＭ３１ｃはＣＰＵ３１ａが作動する際に用いるデータやプログラムが記憶されている。通信制御部３１ｄは、ＣＰＵ３１ａの指示にしたがい通信処理部３１ｅを作動させ、通信処理部３１ｅはネットワークｎを通じて図示しないサーバとデータの入出力を行う。２次記憶部３１ｆには、商品やチケット発券に要する情報等を記憶したデータベースが登録されている。
【００３３】
電源ユニット３２は、後述する遊技機４２と共用可能であって、薄型汎用筐体１における背面パネル６に、情報処理装置３１と互いに重ならないように装着され、開閉パネル１７の内側に収納されている。この電源ユニット３２は、液晶表示装置１０と、カードリーダ２１、発券部２２および情報処理装置３１にそれぞれの作動に要する電源供給を行う。
そして、以上の構成を有する情報端末装置４１は、コンビニエンスストアの店内における床面に設置され、例えば次のようにして使用される。この場合、情報端末装置４１は液晶表示装置１０に所定のメニュー画面が表示されているものとする。
【００３４】
ここでは、顧客がコンビニエンスストア内において、商品カタログに掲載されている商品を購入するとする。このとき、まず顧客は、商品カタログを閲覧して購入を希望する商品を選択する。そして、操作部１５を操作するか液晶パネル１１のタッチパネル１０ａに指を触れて、液晶表示装置１０のメニュー画面上における「商品購入」の項目を選択し、その購入希望商品に付されている番号（商品コード）を入力する。すると、液晶表示装置１０から商品購入、および購入希望商品を特定する商品コードが情報処理装置３１に入力される。
【００３５】
一方、情報処理装置３１では、ＣＰＵ３１ａが２次記憶部３１ｆにアクセスして入力した商品コードに対応する商品の情報をデータベースから読み出し、その情報を液晶表示装置１０に出力して表示させる。すると、顧客が購入しようとする商品の内容（価格や購入個数）を確認することができる。
次に、顧客は氏名、電話番号等の書誌的な情報（顧客情報）を入力する。このとき、顧客が会員カードを保有しているときは、その会員カードをカードリーダ２１でスキャンして顧客情報を読取らせ、そうでないときは液晶表示画面１０から顧客情報を入力する。入力された顧客情報は情報処理装置３１に入力される。
【００３６】
続いて、情報処理装置３１において、商品購入におけるトランザクションデータ（商品コードや、購入個数、顧客情報を含む）が生成され、それを表示するための画像を液晶表示装置１０に表示するようにＣＰＵ３１ａが指示を行う。すると、液晶パネル１１に、商品購入の確認画面（図示せず）が表示される。この確認画面には、顧客が表示された内容通りの購入をする旨の意思表示をするためのボタン（確認ボタン）が含まれている。
【００３７】
顧客は、商品を画面の内容とおり購入するときは、その確認ボタンに指を触れる。すると、その確認ボタンの入力を示す情報（確認情報）が情報処理装置３１に入力される。情報処理装置３１では、ＣＰＵ３１ａが確認情報の入力を受けて作動し、発券部２２にチケット発行を指示する。すると、発券部２２が商品購入に必要な情報を印字した商品購入チケットを印字出力する。顧客はこの商品購入チケットを店頭で提示し、代金の支払いを行う。以上のようにして、顧客は情報端末装置４１を操作して商品を購入することができる。
【００３８】
上述のとおり、情報端末装置４１はコンビニエンスストア内に設置することができ、それを用いて顧客が商品購入などを行える端末装置となっている。この情報端末装置４１は薄型汎用筐体１を用いて製造されている。そして、その薄型汎用筐体１は、左側板部３と、右側板部４を押出成形で製造していることにより、それぞれの長さを店内の状況に応じて変更し、これにより、高さを自由かつ簡易迅速に調節することができ、高さ寸法の汎用性が高くなっている。そのため、情報端末装置４１は、例えば店内の棚の高さに合わせた高さ設定を行ったり、大人用と子供用で高さを変える等、寸法変更の自由度が高くなっている。また、薄型汎用筐体１が薄型であるから、情報端末装置４１を壁面にすえつけるようにして設置しても、その壁面からの張り出しが少なく、設置スペースを省力化することができる。しかも、薄型汎用筐体１の製造コストが低く、簡易迅速に製造でき、その薄型汎用筐体１に情報処理装置３１や電源ユニット３２を組み込むことによって製造できるので、製造コストを削減でき、短期間に製造することができる。
【００３９】
なお、上述の情報端末装置４１では、カードリーダ２１と発券部２２を搭載したものを例にとって説明したが、これに加えて赤外線の読取りユニット（携帯電話との間で赤外線を使ってデータ通信を行うため）を組み込んでもよく、これらのいずれか少なくとも１つを組み込むようにしてもよい。その場合、その組み込もうとするユニットの寸法に合わせて、薄型汎用筐体１における汎用スペース部２０の大きさが決まるので、決められた汎用スペース部２０に適合するようにして、薄型汎用筐体１における左側板部３および右側板部４の長さを設定すればよい。
【００４０】
（遊技機の説明）
次に、以上の構成を有する薄型汎用筐体１を用いた遊技機の実施の形態について、図８、９、および図１１を参照して説明する。
図８は、薄型汎用筐体１を用いた遊技機４２を示す正面図、図９は遊技機４２を遊技場に複数設置した状態を示す斜視図、図１１は遊技機４２の内部構成を示すブロック図である。
【００４１】
遊技機４２は、遊技場における床面や所定の台上に設置して使用される装置（ここでは、ビデオスロットマシンを想定している）である。この遊技機４２は、薄型汎用筐体１に、液晶表示装置１０と、ゲーム内容表示パネル２３と、情報処理装置３１および電源ユニット３２を組み込んで製造され、ゲーム内容表示パネル２３を除く各構成要素が図示のとおり電気的に接続され、情報処理装置３１に制御される液晶表示装置１０の表示画像を用いて遊技が行われる。これらの構成要素は、情報端末装置４１と共通なものもあるので、以下では情報端末装置４１と相違する点を中心に説明する。
【００４２】
ゲーム内容表示パネル２３は、遊技機４２で行われるゲームの内容と配当などの情報を表示したパネルで、薄型汎用筐体１における汎用スペース部２０に組み込まれている。
情報処理装置３１は、情報端末装置４１における情報処理装置３１と比較して、乱数処理部３１ｇを有する点と、ＲＯＭ３１ｂ、ＲＡＭ３１ｃおよび２次記憶部３１ｆに記憶されているプログラムやデータなどが異なる点、ＣＰＵ３１ａの制御内容が異なる点、通信処理部３１ｅがネットワークｎに接続されていない点で相違している（なお、通信処理部３１ｅをネットワークｎに接続して、図示しないサーバとデータの入出力を行える遊技機にすることもできる）。乱数処理部３１ｇは、ＣＰＵ３１ａの指示にしたがい作動して、一定範囲の乱数を発生させ、その発生させた乱数の中から任意の乱数を抽出し、その抽出した乱数をＣＰＵ３１ａに入力する。なお、情報処理装置３１は、ＣＰＵ３１ａを作動させるための基準クロックを発生させるクロックパルス発生回路と、基準クロックを一定周期で分周した信号をＣＰＵ３１ａに入力する分周器も有するが、いずれも図示を省略している。
【００４３】
そして、以上の構成を有する遊技機４２は、図９に示すように、例えば遊技場５０において、壁面５２に背面パネル６を接面するようにして床面５１に設置され、例えば次のようにして使用される。この場合、遊技機４２は液晶表示装置１０に複数のシンボルを有するリールＲ１，Ｒ２，Ｒ３があたかも移動するかのような可変表示画像が表示されるものとする（図８参照）。
遊技機４２において遊技を行おうとする遊技者は、まず、コイン投入部１８から賭けるためのコインを投入して有効ラインの設定を行う。続いて、操作部１５に備えられた操作スティック１５ａを操作して、遊技を開始する。すると、コイン投入および操作スティック１５ａの操作をＣＰＵ３１ａが検出して、液晶表示装置１０にあたかも各リールＲ１，Ｒ２，Ｒ３がスクロールするかのような可変表示画像を表示させる。このとき、ＣＰＵ３１ａは、乱数処理部３１ｇから取得した乱数を用いて内部抽選処理を行っている。
【００４４】
そして、遊技者が液晶表示装置１０に表示される可変表示画像を見ながら、操作部１５に備えられた操作ボタン１５ｂを操作すると、操作タイミングに対応して各リールＲ１，Ｒ２，Ｒ３のスクロール表示画像が停止し、その停止したときのシンボル（各各リールＲ１，Ｒ２，Ｒ３に付されている図柄）の組合わせにより、遊技の入賞可否が判定される。もし、遊技で入賞したときは、液晶表示装置１０にそのことが表示され、遊技者に何らかの利益が付与される。
【００４５】
上述のとおり、遊技機４２は遊技場等の床面や台上に設置することができ、それを用いて顧客が遊技を行えるようになっている。この遊技機４２も、情報端末装置４１と同様に、薄型汎用筐体１を用いて製造されている。そして、その薄型汎用筐体１は、高さ寸法の汎用性が高いので、遊技機４２も、設置場所の要望等に応じた高さ設定を行ったり、大人用と子供用で高さを変えるなどの寸法変更の自由度が高くなっている。しかも、薄型汎用筐体１が薄型であるから、図９に示すように、遊技機４２を壁面５２にすえつけるように設置しても、その壁面５２からの張り出しが少なく、設置スペースを省力化することができる。しかも、薄型汎用筐体１の製造コストが低く、簡易迅速に製造でき、その薄型汎用筐体１に情報処理装置３１や電源ユニット３２を組み込むことによって製造できるので、製造コストを削減でき、短期間に製造することができる。
【図面の簡単な説明】
【００４６】
【図１】本発明の実施の形態に係る薄型汎用筐体の全体構成を示す斜視図である。
【図２】同じく、右側面図である。
【図３】同じく、背面図である。
【図４】同じく、一部を取り外して示す斜視図である。
【図５】同じく、図１の５−５線断面図である。
【図６】同じく、図１の６−６線断面図である。
【図７】薄型汎用筐体を用いた情報端末装置を示す斜視図である。
【図８】薄型汎用筐体を用いた遊技機を示す正面図である。
【図９】薄型汎用筐体を用いた遊技機を遊技場に複数設置した状態を示す斜視図である。
【図１０】薄型汎用筐体を用いた情報端末装置の内部構成を示すブロック図である。
【図１１】薄型汎用筐体を用いた遊技機の内部構成を示すブロック図である。
【符号の説明】
【００４７】
１…薄型汎用筐体、２…天頂部、３…左側板部
４…右側板部、５…底部、６…背面パネル
１０…液晶表示装置、１５…操作部
２０…汎用スペース部、３１…情報処理装置
３２…電源ユニット、４１…情報端末装置
４２…遊技機
【図１】
2005218794.tif 000003
【図２】
2005218794.tif 000004
【図３】
2005218794.tif 000005
【図４】
2005218794.tif 000006
【図５】
2005218794.tif 000007
【図６】
2005218794.tif 000008
【図７】
2005218794.tif 000009
【図８】
2005218794.tif 000010
【図９】
2005218794.tif 000011
【図１０】
2005218794.tif 000012
【図１１】
2005218794.tif 000013